Podtech/llm-jp-corpus-v4-ja_patent huggingface dataset:
【手続補正書】
【提出日】平成27年7月17日(2015.7.17)
【手続補正１】
【補正対象書類名】明細書
【補正対象項目名】００１３
【補正方法】変更
【補正の内容】
【００１３】
これに関し第１の層は縁を有しており、この縁に隣り合って、つまり上側または下側では、第２の層が少なくとも１つの自由縁辺を有している。第２の層の自由縁辺は、少なくとも一区間が第１の層の層厚中で縁に隣り合って走るようにクランク状に曲げられている。その代わりに自由辺縁を、少なくとも一区間が第１の層（１）の第２の層（２）に面していない側で部分的にまたは完全に第１の層（１）の層厚の外を走るように大きくクランク状に曲げることもできる。言い換えると第２の層の自由縁辺は、少なくとも一区間が第１の層中で、または第１の層の第２の層に面していないもう一方の側で走るようにクランク状に曲げられている。
【手続補正２】
【補正対象書類名】明細書
【補正対象項目名】００９１
【補正方法】変更
【補正の内容】
【００９１】
セパレート層はここでも空隙１０を有しており、この空隙の縁１１は空隙１０の両側でセパレート層１の外縁１６に直接移行している。これによりセパレート層１内へのへこみが生じている。
【手続補正３】
【補正対象書類名】明細書
【補正対象項目名】００９２
【補正方法】変更
【補正の内容】
【００９２】
第１の例示的実施形態に関して図４で示したことに対応して、第１のシール層２は、ブリッジ部２３により互いに隔てられた空隙２０ａおよび２０ｂを有している。空隙２０ａおよび２０ｂは、第１のシール層２の縁２６に向かって口を開けており、したがってブリッジ部２３は、シール層２から延びる舌状部を構成している。舌状部２３の外縁２２は、この例示的実施形態では空隙１０の外縁１２に直接的に隣り合っている。舌状部２３は、第１の例示的実施形態のブリッジ部と同じようにクランク状に曲げられており、したがって外縁２２は少なくとも部分的には空隙１０の平面中に存在している。両方の層１および
２が、第１の例に関して図７に示したことに対応する態様で接合されると、層平面に垂直な方向での形状結合によるセパレート層１とシール層２の接合が生じる。
【手続補正４】
【補正対象書類名】明細書
【補正対象項目名】０１０５
【補正方法】変更
【補正の内容】
【０１０５】
図３２は、第１４の例として、本発明による油圧システム制御板１００のさらなる１つの例示的実施形態の一部分の、層が接合された状態の上面図を示している。この例示的実施形態が前述の第１２および第１３の例示的実施形態と異なる点は、シールおよびセパレート層２、１内の空隙２０、１０の形状の違いであり、かつこれに対応してセパレート層１内の接合ブリッジ部１７およびヘッド１８の形状が異なっている。接合ブリッジ部１７およびヘッド１８は、ここでは継目なく互いに移行しており、ブリッジ部２３を構成しており、かつ互いに隔てられているとは見做せない。図２７からこれまでの例示的実施形態とは違い、ここでは接合ブリッジ部とヘッドとの組合せが、冒頭に挙げた例示的実施形態に類似して両側でセパレート層１とつながっている。この組合せは角がなく、また少し外に向かって中央で太くなっているアーチにより真っ直ぐの形状から外れている。この両側に隣接するセパレート層１内の空隙１０は、ここでは１つの部分から成るのではなく、不連続でない接合ブリッジ部とヘッドとの組合せにより、ほぼ半月状の２つの半分の部分１０ａ、１０ｂに分断されている。同様に、接合部位はガスケット層２内に２つのクランク状に曲げられた区間２４を有しており、この区間２４はそれぞれほぼＣ字形のアーチを描いている。折曲部２４は、ここでは径方向に外側に生じるだけでなく、接合ブリッジ部とヘッドとの組合せの方向への移行部をもたらす領域２４’内でも生じている。この接合ブリッジ部とヘッドとの組合せは、特に有利な特徴として、その両方の縁１２に沿ってそれぞれ１つの切欠き１５ａを有しており、この切欠きが前述の切欠きと同じ接合メカニズムをもたらす。この実施形態でも、セパレート層１と２つ以上の隣接するシール層２、３の接合を同じ部位に生じさせることができる。
【手続補正５】
【補正対象書類名】明細書
【補正対象項目名】０１０６
【補正方法】変更
【補正の内容】
【０１０６】
ここまでの多くの例示的実施形態では、より見やすくするためにコーティングの表示を省略した。コーティングに関しては、予めコーティングされた板金による適用と、変形後のコーティングとを区別することができる。前者は、コーティングされた領域全体または全面コーティングの場合には板金全体にわたって実質的に一定のコーティング厚さが生じるのに対し、後者の場合は凹部にコーティング材料が集まり、したがって厚さが不均一になる。図３３は、第１５の例として、代表的な部位としてのフルビード１０２の領域でのシール層２の部分的なコーティング１０３を示している。これはここでは変形後にコーテ
ィングされた、例えばスクリーン印刷により塗布されたシール層２であり、したがってコーティングの厚さはビード１０２の凹面で特に大きく、その一方でビード１０２の他の領域およびそれに直接続いている領域では、板金が十分にコーティングされていることが保証されているだけである。コーティング１０３は、ビードの付け根の変曲点１０２ａ、１０２ｂよりビード幅の半分くらい先まで延びている。そこに、コーティングされていない領域１０４が続いている。
【手続補正６】
【補正対象書類名】図面
【補正対象項目名】図２８−ｂ
【補正方法】変更
【補正の内容】
【図２８−ｂ】
2014525014.tif 000001
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
コンピュータ実装される方法であって：
複数対のマイクロホンからメモリに信号を受領する段階と；
前記マイクロホンからの信号を、いつ信号がアクティブであるかを識別するために処理する段階と；
前記信号についての周波数スペクトル・データを計算する段階と；
アクティブな信号の各対について、前記周波数スペクトル・データを使ってその対について候補角度を決定する段階と；
複数対のマイクロホンについての前記候補角度のうちから角度を選択する段階とを含む、
方法。
【請求項２】
前記周波数スペクトル・データを使って前記対について候補角度を決定する前記段階が：
アクティブな信号のその対の前記周波数スペクトル・データを使って相互パワースペクトルの位相スペクトルを決定し；
前記位相スペクトルからその対についての位相歪みを決定し；
決定された位相歪みから前記候補角度を導出することを含む、
請求項１記載のコンピュータ実装される方法。
【請求項３】
信号を受領する段階が各信号を複数のフレームとして受領することを含み、処理する段階、計算する段階、決定する段階および選択する段階がフレーム毎に実行される、請求項１または２記載のコンピュータ実装される方法。
【請求項４】
前記候補角度のうちから角度を選択する段階が、以前の候補角度についての情報を使って角度を選択することを含む、請求項１または２記載のコンピュータ実装される方法。
【請求項５】
選択する段階がさらに：
候補角度の履歴を複数フレームにわたって追跡する段階と；
前記履歴を、現在フレームからの候補角度を用いて更新する段階とを含む、
請求項４記載のコンピュータ実装される方法。
【請求項６】
メモリと；
複数対のマイクロホンから前記メモリに信号を受領する入力部と；
前記マイクロホンからの信号を、いつ信号がアクティブであるかを識別し、前記信号についての周波数スペクトル・データを計算するよう処理する処理ユニットとを有するコンピューティング機械であって：
前記処理ユニットはさらに、アクティブな信号の各対について、前記周波数スペクトル・データを使ってその対について候補角度を決定し、複数対のマイクロホンについての前記候補角度のうちから角度を選択するよう構成されている、
コンピューティング機械。
【請求項７】
前記入力部が、各信号を複数のフレームとして受領して記憶し、前記処理ユニットが前記信号をフレーム毎に処理するよう構成される、請求項６記載のコンピューティング機械。
【請求項８】
前記メモリがさらに複数フレームにわたる候補角度の履歴を記憶し、前記処理ユニットが、前記履歴を、現在フレームからの候補角度を用いて更新するよう構成されている、請求項６記載のコンピューティング機械。
【請求項９】
前記履歴から選択される角度が、すべてのエントリーのうち最小の位相歪み以下の位相歪みをもつ、請求項８記載のコンピューティング機械。
【請求項１０】
前記履歴から選択される角度が、当該フレームについて最高ランクの候補と同様の角度をもつ、請求項９記載のコンピューティング機械。
【請求項１１】
処理装置に：
複数対のマイクロホンからメモリに信号を受領する段階と；
前記マイクロホンからの信号を、いつ信号がアクティブであるかを識別するために処理する段階と；
前記信号についての周波数スペクトル・データを計算する段階と；
アクティブな信号の各対について、前記周波数スペクトル・データを使ってその対について候補角度を決定する段階と；
複数対のマイクロホンについての前記候補角度のうちから角度を選択する段階とを実行させるための、
コンピュータ・プログラム。
【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
試料中の抗ＴＮＦα薬に対する自己抗体の中和形のレベル又はパーセントを測定するための方法であって、
（ａ）試料を酸と接触させて、自己抗体と抗ＴＮＦα薬との予め形成された複合体を解離させるステップと、
（ｂ）予め形成された複合体の解離後に試料を標識抗ＴＮＦα薬及び標識ＴＮＦαと接触させるステップと、
（ｃ）試料中の酸を中和して、
（ｉ）標識抗ＴＮＦα薬と自己抗体との第１標識複合体、及び／又は
（ｉｉ）標識抗ＴＮＦα薬と標識ＴＮＦαと自己抗体との第２標識複合体
を形成するステップと、
（ｄ）第１標識複合体及び／又は第２標識複合体をサイズ排除クロマトグラフィーに供して、前記複合体を、遊離標識ＴＮＦα、遊離標識抗ＴＮＦα薬、及び／又は標識抗ＴＮＦα薬と標識ＴＮＦαとの複合体から分離するステップと、
（ｅ）サイズ排除クロマトグラフィー後に遊離標識ＴＮＦαのレベルを測定するステップと、
（ｆ）ステップ（ｅ）において測定された遊離標識ＴＮＦαのレベルを、対照試料中の遊離標識ＴＮＦαの標準化されたレベル又はパーセントと比較するステップであって、対照試料中の遊離標識ＴＮＦαの標準化されたレベル又はパーセントは自己抗体の中和形のレベル又はパーセントに対応する、ステップと、
を含む方法。
【請求項２】
対照試料中の遊離標識ＴＮＦαのレベル又はパーセントは、標識抗ＴＮＦα薬と標識ＴＮＦαとの間で形成された第３標識複合体の測定されたピーク面積を遊離標識ＴＮＦαの測定されたピーク面積から差し引くことによって標準化されたものであり、
任意選択で、試料が約３．００％以上の自己抗体の中和形を有する場合に、試料は自己抗体の中和形について陽性である、
請求項１に記載の方法。
【請求項３】
対照試料中の遊離標識ＴＮＦαの標準化されたレベル又はパーセントと、ステップ（ｅ）において測定された遊離標識ＴＮＦαのレベルと、の差が自己抗体の非中和形のレベル又はパーセントに対応する、請求項１又は２に記載の方法。
【請求項４】
試料中の抗ＴＮＦα薬に対する自己抗体の中和形及び／又は非中和形の存在を検出するための方法であって、
（ａ）試料を酸と接触させて、自己抗体と抗ＴＮＦα薬との予め形成された複合体を解離させるステップと、
（ｂ）予め形成された複合体の解離後に試料を標識抗ＴＮＦα薬及び標識ＴＮＦαと接触させるステップと、
（ｃ）試料中の酸を中和して、
（ｉ）標識抗ＴＮＦα薬と自己抗体との第１標識複合体、及び／又は
（ｉｉ）標識抗ＴＮＦα薬と標識ＴＮＦαと自己抗体との第２標識複合体
を形成するステップと、
（ｄ）第１標識複合体及び／又は第２標識複合体をサイズ排除クロマトグラフィーに供して、前記複合体を、遊離標識ＴＮＦα、遊離標識抗ＴＮＦα薬、及び／又は標識抗ＴＮＦα薬と標識ＴＮＦαとの複合体から分離するステップと、
（ｅ）サイズ排除クロマトグラフィー後に遊離標識ＴＮＦαのレベルを測定するステップと、
（ｆ）ステップ（ｅ）において測定された遊離標識ＴＮＦαのレベルを対照試料中の遊離標識ＴＮＦαのレベルと比較し、それにより自己抗体の中和形及び／又は非中和形の存在を検出するステップと、
を含む方法。
【請求項５】
ステップ（ｅ）において測定された遊離標識ＴＮＦαのレベルが対照試料中の遊離標識ＴＮＦαのレベルと同じ又は実質的に同じである場合に、自己抗体の中和形が検出され、或いは
ステップ（ｅ）において測定された遊離標識ＴＮＦαのレベルが対照試料中の遊離標識ＴＮＦαのレベルと比較して減少しているか又は存在しない場合に、自己抗体の非中和形が検出される、
請求項４に記載の方法。
【請求項６】
ステップ（ｅ）は、サイズ排除クロマトグラフィー後に遊離標識ＴＮＦαのピーク面積を測定することを含む、請求項１〜５のいずれか一項に記載の方法。
【請求項７】
対照試料は、遊離標識ＴＮＦαのみを含有する参照試料である、請求項１〜６のいずれか一項に記載の方法。
【請求項８】
標識抗ＴＮＦα薬及び標識ＴＮＦαは異なる蛍光体又は蛍光色素を含む、請求項１〜７のいずれか一項に記載の方法。
【請求項９】
試料は血清であり、及び／又は試料は、抗ＴＮＦα薬による治療を受けている対象から得られたものである、請求項１〜８のいずれか一項に記載の方法。
【請求項１０】
抗ＴＮＦα薬は、レミケード（商標）（インフリキシマブ）、エンブレル（商標）（エタネルセプト）、ヒュミラ（商標）（アダリムマブ）、シムジア（登録商標）（セルトリズマブペゴール）、シンポニー（登録商標）（ゴリムマブ，ＣＮＴＯ１４８）、及びそれらの組み合わせからなる群より選択され、及び／又は
抗ＴＮＦα薬に対する自己抗体は、ヒト抗キメラ抗体（ＨＡＣＡ）、ヒト抗ヒト化抗体（ＨＡＨＡ）、ヒト抗マウス抗体（ＨＡＭＡ）、及びそれらの組み合わせからなる群より選択される、
請求項１〜９のいずれか一項に記載の方法。
【請求項１１】
第１抗ＴＮＦα薬に対する自己抗体の中和形が第２抗ＴＮＦα薬と交差反応性であるかどうかを決定するための方法であって、
（ａ）試料中の自己抗体の中和形の存在、レベル又はパーセントを、請求項１〜８のいずれか一項に記載の方法に従って検出又は測定して、試料が自己抗体の中和形について陽性であるか陰性であるかを決定するステップ
を含み、
自己抗体の中和形について試料が陽性であるならば、
（ｂ）試料を標識第２抗ＴＮＦα薬と接触させて、標識第２抗ＴＮＦα薬と自己抗体の中和形との標識複合体を形成するステップと、
（ｃ）標識複合体をサイズ排除クロマトグラフィーに供して標識複合体を分離するステップと、
（ｄ）標識複合体を検出し、それにより、第１抗ＴＮＦα薬に対する自己抗体の中和形が第２抗ＴＮＦα薬と交差反応性であるかどうかを決定するステップと、
をさらに含む方法。
【請求項１２】
標識複合体の存在が、第１抗ＴＮＦα薬に対する中和自己抗体が第２抗ＴＮＦα薬と交差反応性であることを示し、或いは
標識複合体の非存在が、第１抗ＴＮＦα薬に対する中和自己抗体が第２抗ＴＮＦα薬と交差反応性でないことを示す、
請求項１１に記載の方法。
【請求項１３】
標識第２抗ＴＮＦα薬は蛍光体又は蛍光色素を含む、請求項１１又は１２に記載の方法。
【請求項１４】
試料は血清であり、及び／又は試料は、第１抗ＴＮＦα薬による治療を受けている対象から得られたものである、請求項１１〜１３のいずれか一項に記載の方法。
【請求項１５】
第１及び第２抗ＴＮＦα薬は、レミケード（商標）（インフリキシマブ）、エンブレル（商標）（エタネルセプト）、ヒュミラ（商標）（アダリムマブ）、シムジア（登録商標）（セルトリズマブペゴール）、シンポニー（登録商標）（ゴリムマブ，ＣＮＴＯ１４８）、及びそれらの組み合わせからなる群より独立に選択され、及び／又は
第１抗ＴＮＦα薬に対する自己抗体は、ヒト抗キメラ抗体（ＨＡＣＡ）、ヒト抗ヒト化抗体（ＨＡＨＡ）、ヒト抗マウス抗体（ＨＡＭＡ）、及びそれらの組み合わせからなる群より選択される、
請求項１１〜１４のいずれか一項に記載の方法。
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
サンプル中の活性酵素を検出するためのアッセイデバイス（１）であって、該デバイスが：
（ａ）上にサンプルを置くことができる配置領域（１０）；
（ｂ）サンプルが、該配置領域（１０）上に存在する（例えば置かれた）とき、マトリックス（２０）に沿って移動できるように、該配置領域（１０）と動作可能に連結された、該マトリックス（２０）；
（ｃ）該マトリックス（２０）上の少なくとも１つの個別捕捉位置（３０）であって、それぞれの個別捕捉位置（３０）は配置領域（１０）から遠くに引き離され、そしてサンプルが該個別捕捉位置（３０）を横切って移動でき；
（ｄ）それぞれの個別捕捉位置（３０）に存在する又はそれらを画成する捕捉手段（４０）であって、捕捉手段（４０）は、該酵素の該サンプルの少なくとも一部分を少なくとも１つの個別捕捉位置（３０）に保持するように該酵素に結合でき；
（ｅ）該捕捉手段（４０）に結合した活性酵素の存在の選択的表示を提供するための、選択的表示手段（５０）又は少なくともその構成要素であって、該選択的表示手段は試薬又は反応種を含み；及び
（ｆ）該酵素の基質であって、該基質はアッセイデバイス（１）に結合される；
を含んでなり、
ここで該酵素が該基質に作用して反応性部分を生じさせ；さらに該反応性部分は該試薬又は反応種に作用して機能的な効果を生み出す、
上記アッセイデバイス。
【請求項２】
前記配置領域（１０）が吸収パッドであり、好ましくは前記配置領域（１０）が前記マトリックス（２０）の１つの端にある、請求項１に記載のアッセイデバイス（１）。
【請求項３】
該デバイスが複数の個別捕捉位置（３０）を含む、請求項１又は２に記載のアッセイデバイス（１）。
【請求項４】
前記デバイスがブロッキング試薬を含み、好ましくは前記ブロッキング試薬が前記デバ
イスに直接結合し、最も好ましくは前記ブロッキング試薬が界面活性剤である又は界面活性剤を含む、請求項１〜３のいずれか１項に記載のアッセイデバイス（１）。
【請求項５】
マトリックス（２０）がニトロセルロースである又はニトロセルロースを含む、請求項１〜４のいずれか１項に記載のアッセイデバイス（１）。
【請求項６】
前記試薬又は反応種がテトラゾリウム化合物である、請求項１〜５のいずれか１項に記載のアッセイデバイス（１）。
【請求項７】
前記基質がリン酸供与体を用いる／有するホスファターゼ基質である、請求項１〜６のいずれか１項に記載のアッセイデバイス（１）。
【請求項８】
捕捉手段（４０）が抗体である、請求項１〜７のいずれか１項に記載のアッセイデバイス（１）。
【請求項９】
前記サンプルが飼料又は飼料添加物由来である、請求項１〜８のいずれか１項に記載のアッセイデバイス（１）。
【請求項１０】
前記酵素が酸性ホスファターゼであり、好ましくはフィターゼであり、そして最も好ましくは６−フィターゼである、請求項１〜９のいずれか１項に記載のアッセイデバイス（１）。
【請求項１１】
該移動が縦方向であり、そして該捕捉位置（３０）がサンプルの移動の流れに対して直角である、請求項１〜１０のいずれか１項に記載のアッセイデバイス（１）。
【請求項１２】
サンプルを、請求項１〜１１のいずれか１項に記載のアッセイデバイス（１）の配置領域（１０）に置き、そして該デバイスの選択的表示手段（５０）が、活性酵素が存在するかどうかを表示する、サンプル中の活性酵素の存在を決定する方法。
【請求項１３】
サンプル中の活性酵素の存在を決定する方法であって、その方法は以下：
ａ）サンプルの少なくとも一部を捕捉手段と接触させ、それによって酵素が該捕捉手段によって捕捉されるステップ；
ｂ）基質が該捕捉された酵素と反応して酵素産物を生じる、捕捉された酵素用の好適な該基質を供給するステップ；
ｃ）反応種が該酵素産物と反応して不溶性の生成物を生じる、酵素産物と反応できる該反応種を供給するステップ；及び
ｄ）検出が前記サンプル中の活性酵素の存在及び／又は量と相関する、ステップｃ）で得られた不溶性の生成物を検出するステップ；
を含む、上記方法。
【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
目標要素の方へ光を集光する光学装置であって、
−  前記目標要素の方へ光を案内する導波路素子と、
−  第１の波長の入射光を第２の波長の出射光に変換する波長変換素子であって、前記導波路素子に隣接して延びる波長変換素子と、
を含み、
前記波長変換素子に隣接する前記導波路素子が、粗面におけるスポットの形状及び／又は向きに従って伝播光を不規則に反射させることにより、前記導波路素子内を伝播する光の平均経路長さを低減させるための前記粗面を有する、光学装置。
【請求項２】
境界面が、前記波長変換素子と前記導波路素子との互いの接触によって形成され、前記導波路素子の表面及び前記波長変換素子の表面が粗い、請求項１に記載の光学装置。
【請求項３】
−  入射光を反射する第１の反射素子であって、前記波長変換素子が、前記導波路素子と前記第１の反射素子との間に延びる第１の反射素子を更に含む、請求項１又は２に記載の光学装置。
【請求項４】
−  入射光を反射する第２の反射素子であって、前記導波路素子が、前記波長変換素子と前記第２の反射素子との間に延びる第２の反射素子を更に含む、請求項１乃至３の何れか一項に記載の光学装置。
【請求項５】
前記第２の反射素子に隣接する前記導波路素子の別の境界面が表面粗さを有する、請求項４に記載の光学装置。
【請求項６】
前記別の境界面が、前記導波路素子と前記第２の反射素子との互いの接触によって形成され、前記導波路素子の表面及び前記第２の反射素子の表面が粗い、請求項５に記載の光学装置。
【請求項７】
前記光学装置が層状構造を含む、請求項１乃至６の何れか一項に記載の光学装置。
【請求項８】
前記第１の反射素子及び／又は前記第２の反射素子が、前記入射光を拡散反射し、且つ／又は前記入射光を鏡面反射する、請求項１乃至７の何れか一項に記載の光学装置。
【請求項９】
前記第１の反射素子及び／又は前記第２の反射素子が、粉末粒子を含むラッカー材料を含む、請求項１乃至８の何れか一項に記載の光学装置。
【請求項１０】
前記第１の反射素子及び／又は前記第２の反射素子が、ポリマーをベースとする材料を含む、請求項１乃至９の何れか一項に記載の光学装置。
【請求項１１】
前記第１の反射素子及び／又は前記第２の反射素子の厚さが、少なくとも１マイクロメートル、特に、少なくとも５マイクロメートル、更に特に、少なくとも１０マイクロメートルであり、且つ／又は前記第１の反射素子及び／又は前記第２の反射素子の前記厚さが、最大でも２０００マイクロメートル、特に、最大でも５００マイクロメートル、更に特に、最大でも２００マイクロメートルである、請求項１乃至１０の何れか一項に記載の光学装置。
【請求項１２】
光起電力装置であって、
−  請求項１乃至１１の何れか一項に記載の光学装置と、
−  前記光学装置の導波路素子に接続された光起電力素子と、
を含む光起電力装置。
【請求項１３】
陽電子放出断層撮影用の検出装置であって
−  請求項１乃至１１の何れか一項に記載の光学装置と、
−  前記光学装置の導波路素子に接続された検出ユニットと、
を含む検出装置。
【請求項１４】
目標要素の方へ光を集光する光学装置を製造する方法であって、
−  前記目標要素の方へ光を案内する導波路素子を設けることと、
−  第１の波長の入射光を第２の波長の出射光に変換する波長変換素子を設けることと、
−  前記波長変換素子が前記導波路素子に隣接して延びるように、前記波長変換素子及び前記導波路素子を互いに対して配置することと、
を含み、
前記波長変換素子に隣接する前記導波路素子が、粗面におけるスポットの形状及び／又は向きに従って伝播光を不規則に反射させることにより、前記導波路素子内を伝播する光の平均経路長さを低減させるための前記粗面を有する方法。
【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
第１の支持体と、
第１の支持体に取り付けられ、第１の開口部及び第２の開口部を有する、第２の支持体と、
第１の支持体と第２の支持体との間の単一の運動平面内で動かせるように前記プレートに取り付けられたポリクロイックミラーの平面配列を含むポリクロイックミラーアレイであって、各ポリクロイックミラーが、第１の開口部を通して励起チャネルを受け取り、第２の開口部を通して前記励起チャネルのサブセットを反射して、対物レンズを通して試料を照らす、ポリクロイックミラーアレイと
を含む、顕微鏡のポリクロイックミラーチェンジャー。
【請求項２】
前記ポリクロイックミラーアレイが、第１平面とその反対側に位置する第２平面を有するプレートを含んでいるとともに、第１平面から第２平面まで貫通する複数の穴を有する、請求項１記載のチェンジャー。
【請求項３】
各ポリクロイックミラーが、第１平面に取り付けられ、各ポリクロイックミラーが前記プレートの対応する穴を通して前記励起チャネルを受け取って、前記穴を通して励起チャネルのサブセットを反射して返すように穴を覆う、請求項１又は請求項２記載のチェンジャー。
【請求項４】
ポリクロイックミラーの前記平面配列が一次元又は二次元である、請求項１乃至請求項３のいずれか１項記載のチェンジャー。
【請求項５】
前記アレイに接続されたモーターであって、ポリクロイックミラーが前記励起チャネルと交差するように前記アレイを前記単一の運動平面内で増分移動させるモーターをさらに含む、請求項１乃至請求項４のいずれか１項記載のチェンジャー。
【請求項６】
ポリクロイックミラーの前記平面配列が前記単一の運動平面内にある、請求項１乃至請求項５のいずれか１項記載のチェンジャー。
【請求項７】
第１の支持体が、前記単一の運動平面を形成するように第１の支持体の受け口に配置された３つ以上の運動学的球を含み、第２の支持体が、前記プレートの第１平面を前記運動学的球に押しつける３つ以上のスライディング要素を含む、請求項１乃至請求項６のいずれか１項記載のチェンジャー。
【請求項８】
各ポリクロイックミラーが、前記励起チャネルの異なるサブセットを反射する、請求項１乃至請求項７のいずれか１項記載のチェンジャー。
【請求項９】
第２の支持体に取り付けられたミラーであって、第２の開口部を通して出力される励起光の前記サブセットを受け取り、第２の支持体の第３の開口部を通して前記サブセットを前記対物レンズに反射するミラーをさらに含む、請求項１乃至請求項８のいずれか１項記載のチェンジャー。
【請求項１０】
ポリクロイックミラーの前記平面配列が前記単一の運動平面内にある、請求項１乃至請求項９のいずれか１項記載のチェンジャー。
【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
ロジックサブシステムと；
保管されたインストラクションを含むデータ保持サブシステムと、を含み、
インストラクションが前記ロジックサブシステムによって実行されると：
表現空間におけるヘッドマウントディスプレイシステム上に配置された一つまたはそれ以上の動作センサーと前記ヘッドマウントディスプレイシステム上に配置されたものではない前記表現空間における一つまたはそれ以上の映像センサーとを含んでいる、位置及び向き検知システムから視聴者の位置データ及び視聴者の向きデータを受取り；
前記視聴者の位置データ及び前記視聴者の向きデータから、表現空間の中に視聴者を配置し、前記表現空間において前記視聴者が直面している方向を判断し、かつ、前記表現空間におけるヘッドマウントディスプレイの向きを決定し：
前記視聴者の位置データ及び前記視聴者の向きデータに基づいて、前記視聴者の視野の中にある前記表現空間の領域にマップされた立体映像の領域及び向きを判断することによって、前記ヘッドマウントディスプレイシステムに対して送付する表現映像を決定し、前記表現映像は、前記立体映像における対象物の第１の視点に対応しており、かつ、
前記表現映像を前記ヘッドマウントディスプレイシステムに対して送付し、
前記視聴者の位置データ及び前記視聴者の向きデータにおける変化を検出し、かつ、
前記視聴者の位置データ及び前記視聴者の向きデータにおいて検出された前記変化に基づいて、前記ヘッドマウントディスプレイシステムに送付するための異なる表現映像を決定し、前記異なる表現映像は、前記立体映像における前記対象物の第２の異なる視点に対応している、
ことを特徴とするコンピューターデバイス。
【請求項２】
前記インストラクションは実行されると、さらに、
前記ヘッドマウントディスプレイシステム上の眼球トラッキング映像センサーから、眼球トラッキングデータを受取り、かつ、前記眼球トラッキングデータに基づいて、前記表現映像を決定する、
請求項１に記載のコンピューターデバイス。
【請求項３】
前記インストラクションは、さらに、
前記立体映像の入力を受取り、前記立体映像を前記表現空間に対してマップするように構成されている、
請求項１に記載のコンピューターデバイス。
【請求項４】
前記立体映像データは、複数のアングルからキャプチャーされたシーンのビデオ映像データを含む、
請求項１に記載のコンピューターデバイス。
【請求項５】
前記インストラクションは実行されると、さらに、
前記向きデータから、前記ヘッドマウントディスプレイシステムのロール、ピッチ、ヨーを検知する、
請求項１に記載のコンピューターデバイス。
【請求項６】
前記インストラクションは実行されると、さらに、
ユーザーインターフェイスにリクエストしているユーザー入力を検知し；
表示のために前記ヘッドマウントディスプレイシステムに対して送付するユーザーインターフェイス映像を決定し、前記ユーザーインターフェイス映像はユーザーインターフェイスエレメントを含んでおり；
前記ユーザーインターフェイス映像とインタラクションしているユーザージェスチャーを検知し；かつ、
それに応じて、前記ユーザーインターフェイス映像上のユーザージェスチャーの効果を説明する変更されたユーザーインターフェイスを送付する、
請求項１に記載のコンピューターデバイス。
【請求項７】
前記ユーザーインターフェイスエレメントは、プッシュ可能、及び／又は、プル可能なエレメントである、
請求項６に記載のコンピューターデバイス。
【請求項８】
前記インストラクションは実行されると、
前記表現空間の中の複数の視聴者を検知し、前記表現空間におけるそれぞれの視聴者の位置に基づいて、前記複数の視聴者それぞれに対して送付する異なった映像を決定する、
請求項１に記載のコンピューターデバイス。
【請求項９】
前記インストラクションは実行されると、さらに、
音声入力を受取り、前記音声入力における音声コマンドを検知し、かつ、前記音声入力に応じた機能を実行する、
請求項１に記載のコンピューターデバイス。
【請求項１０】
立体ビデオ映像データを表現する方法であって、前記方法は：
前記立体ビデオ映像データを受取るステップと；
前記立体ビデオ映像データのピクセルを表現空間における位置と関連付けることによって、前記立体ビデオ映像データを前記表現空間に対してマッピングするステップと；
複数の映像キャプチャーデバイスから視聴者トラッキング映像データを受取るステップと；
ヘッドマウントディスプレイシステム上に一つまたはそれ以上の動作センサーから動作データを受け取るステップと；
前記視聴者トラッキング映像データを介して前記表現空間の中に視聴者を配置し、前記表現空間の中で前記視聴者が直面している方向を判断するステップと；
前記動作データから、前記表現空間における前記ヘッドマウントディスプレイシステムの向きを決定するステップと；
前記ヘッドマウントディスプレイシステム上の映像センサーから眼球トラッキングデータを受取るステップと；
前記眼球トラッキングデータから、前記視聴者の視界が向けられる方向を決定するステップと；
前記視聴者のトラッキング映像データ、前記動作データ、および、前記眼球トラッキングデータに基づいて、前記視聴者の視野の中にある前記表現空間の領域にマップされた立体映像の領域及び向きを判断することによって、前記ヘッドマウントディスプレイシステムに対して送付する表現映像を決定するステップであり、前記表現映像は、前記立体ビデオ映像データにおける対象物の第１の視点に対応している、ステップと；
前記表現映像を前記ヘッドマウントディスプレイシステムに対して送付するステップと、
前記視聴者のトラッキング映像データ、前記動作データ、および、前記眼球トラッキングデータにおける変化を検出するステップと、
前記視聴者のトラッキング映像データ、前記動作データ、および、前記眼球トラッキングデータにおいて検出された前記変化に基づいて、前記ヘッドマウントディスプレイシステムに送付するための異なる表現映像を決定するステップであり、前記異なる表現映像は、前記立体ビデオ映像データにおける前記対象物の第２の異なる視点に対応している、ステップと、を含む、
ことを特徴とする方法。
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
生体試料を画像化するための装置であって、
前記生体試料上に位置する第１の光源を用いて照光される前記生体試料から取得される画像化データ、および前記生体試料の画像のうちの少なくとも１つを受け取るように構成され、前記第１の光源が、第１の平均波長および第１の統計分布により説明される第１のスペクトル強度を有する入力と、
前記入力から前記画像化データおよび前記画像のうちの前記少なくとも１つを受け取るように、前記画像化データおよび前記画像のうちの前記少なくとも１つに関連するスペクトルデータを処理するように、かつ、第１の平均波長での前記生体試料の目標画像を表すデータを発生させるようになされる処理装置と
を備え、
前記処理装置は、非線形回帰により、前記画像化データおよび前記画像のうちの前記少なくとも１つに関連するスペクトルデータを処理するように構成され、前記画像化データおよび前記画像のうちの前記少なくとも１つを、第１の統計分布のパラメータに対応する１つまたはそれ以上の信頼区間の範囲内で、第１の統計分布を表す関数に適合させるように構成される、装置。
【請求項２】
前記生体試料の前記画像が、対応する複数の離散スペクトル帯域幅で取得された複数のスペクトル的に離散的な画像を表すマルチスペクトル画像を含む、請求項１に記載の装置。
【請求項３】
前記生体試料が、前記生体試料上に位置する第２の光源を用いてさらに照光され、前記第２の光源が、第２の平均波長および第２の統計分布により説明される第２のスペクトル強度を有し、前記処理装置が、前記画像化データを、前記第１および第２の統計分布のパラメータに対応する信頼区間の範囲内で、前記第１および第２の統計分布の組み合わせを表す関数に前記画像化データを適合させることにより非線形回帰するようにさらになされる、請求項１に記載の装置。
【請求項４】
病理画像を変換するための方法であって、
上に第１の蛍光種が配設される組織試料の画像の組を受け取って、前記組織試料を表す光強度のスペクトル分布を取得するステップを有し、前記組織試料は、第１の光源を用いて照光され、前記第１の光源は、第１の平均波長および第１の統計分布により表される第１のスペクトル強度を備え、
前記方法はさらに、目標スペクトル帯域での前記組織画像を表す光強度の目標分布を導出するように、前記取得された強度のスペクトル分布を修正するステップと、
光強度の前記目標分布を、前記第１の蛍光種により放出される光に対する前記組織試料の光学応答の視覚的に知覚可能な表現に対応付けするステップと
を含み、
取得された強度のスペクトル分布を修正するステップは、非線形回帰に基づき、第１の統計分布のパラメータに対応する１つまたはそれ以上の信頼区間の範囲内で前記第１の統計分布を表す目標分布を導出する、方法。
【請求項５】
前記蛍光種を前記組織試料の表面と共役させるステップであって、会合が前記組織試料の材料構造を表すステップ
をさらに含む、請求項４に記載の方法。
【請求項６】
画像の前記組を受け取る前記ステップが、複数の離散スペクトル帯域幅で取得された複数の２次元（２Ｄ）画像を受け取るステップを含む、請求項４に記載の方法。
【請求項７】
前記目標スペクトル帯域およびデータ信頼区間が、前記蛍光種の蛍光スペクトルを規定する、請求項４に記載の方法。
【請求項８】
前記目標スペクトル帯域が、ガウス分布、逆ガウス分布、指数関数的に修飾されたガウス分布、ガンマ分布、逆ガンマ分布、対数分布、ｔ分布、カイ二乗分布、ｆ分布、指数分布、ラプラス分布、レイリー分布、ロジスティック分布、マクスウェル分布、ベータ分布、コーシー分布、パレート分布、レヴィ分布、極値分布、ワイブル分布、およびガンベル分布からなる群から選定される統計分布を規定する、請求項７に記載の方法。
【請求項９】
対応付けする前記ステップが、光強度の前記目標分布をオフセットして、背景画像雑音を表す強度分布がないオフセット光強度分布を導出するステップを含む、請求項４に記載の方法。
【請求項１０】
オフセットする前記ステップが、
データ配列の要素に光強度の前記目標分布の値を割り当てるステップと、前記データ配列の非ゼロの要素の平均値を決定するステップと、前記平均値より低い値を包含する前記データ配列の要素をゼロにするステップとを含む、請求項９に記載の方法。
【請求項１１】
対応付けする前記ステップが、次数１の十字行列を使用して前記オフセット光強度分布を変換するステップをさらに含む、請求項９に記載の方法。
【請求項１２】
画像の前記組を受け取る前記ステップが、第２の蛍光種を有する組織試料の超立方体画像を受け取るステップをさらに含む、請求項４に記載の方法。
【請求項１３】
強度の前記取得されたスペクトル分布を修正する前記ステップが、前記第１および第２の蛍光種の推定される蛍光スペクトルの線形重ね合わせを規定する適合関数への、前記取得されたスペクトル分布の非線形回帰を含む、請求項１２に記載の方法。
【請求項１４】
前記推定される蛍光スペクトルを規定するパラメータのうちの少なくともいくつかが、前記データ信頼区間の範囲内に固定される、請求項１３に記載の方法。
【請求項１５】
生体試料を画像化するための計算機システムで使用するための計算機プログラム製品であって、前記計算機プログラム製品は、計算機可読プログラムを備える計算機で使用可能な有形な媒体を有し、計算機システム内にロードしたときに、請求項１から３のいずれか一項の装置を確立する、計算機プログラム製品。
【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
回転分配装置であって：
当該装置は、固定の円筒状の内部コアを含み；
当該装置は、前記内部コアの周りに配置された回転可能な円筒状の外側シェルを含み；
前記内部コアと前記外側シェルは、それらの間に複数の環状の流体分配チャンバーを定めており；
当該装置は、回転可能なインデキシングディスクを含み、該ディスクは、自体を貫通して設けられた複数の流れの通路を持ち、それら流れの通路の接続ポートは、前記外側シェルにおけるポートに流体連通しており；
当該装置は、固定のインデキシングディスクを含み、該ディスクは、自体を貫通して設けられた複数の流れの通路を持ち、それら流れの通路の接続ポートは、適切な処理容器に流体連通しており；
前記回転可能なインデキシングディスクにおける、および、前記固定のインデキシングディスクにおける、前記複数の流れの通路は、また、インデキシングポートを持ち、その構成は、前記回転可能なインデキシングディスクにおけるインデキシングポートと、前記固定のインデキシングディスクにおけるインデキシングポートとが、使用時に、軸方向に揃って位置合わせされるようになっており、かつ、
該回転可能なインデキシングディスクの回転によって、該回転可能なインデキシングディスクのインデキシングポートが、前記固定のインデキシングディスクの選択されたインデキシングポートと選択的に流体連通するという結果がもたらされ、それにより、当該回転分配装置を通る前記流れの経路が選択的に変わるようになっており；
その特徴は、当該装置が駆動装置を含むことであり、該駆動装置は：
前記固定のコアが固定される固定のシャフトを有し；
前記固定のシャフトの周りを回転することができる回転可能スリーブを有し、該回転可能スリーブは、前記回転可能な外側シェルと前記回転可能なインデキシングディスクを駆動し；
前記固定のシャフトおよび前記回転可能スリーブは、当該回転分配装置内に位置し、かつ、当該回転分配装置の中心軸上に位置し、それによって、前記駆動装置のどの部分も前記インデキシングディスクの径方向外側には位置しないようになっている；
前記回転分配装置。
【請求項２】
前記回転可能スリーブが、前記固定のインデキシングディスクの軸方向外側に位置する駆動手段によって駆動される、請求項１記載の回転分配装置。
【請求項３】
前記回転可能スリーブが駆動ディスクに接続され、そして、該駆動ディスクが、前記回転可能なインデキシングディスクおよび前記回転可能な外側シェルを駆動する、請求項１または請求項２記載の回転分配装置。
【請求項４】
前記固定のシャフトが、前記駆動手段を通って延び、その外側端部が固定構造物に固定されている、請求項１〜３のいずれか１項に記載の回転分配装置。
【請求項５】
前記固定構造物が、前記駆動手段の一部を形成しているギヤボックスのハウジングの形態となっている、請求項４に記載の回転分配装置。
【請求項６】
前記固定構造物が、前記固定のインデキシングディスクである、請求項４に記載の回転分配装置。
【請求項７】
前記回転可能なインデキシングディスクの前記接続ポート、および／または、前記固定のインデキシングディスクの前記接続ポートが、それらインデキシングディスクの外周面上に位置する、請求項１〜６のいずれか１項に記載の回転分配装置。
【手続補正２】
【補正対象書類名】図面
【補正対象項目名】全図
【補正方法】変更
【補正の内容】
【図１】
2014525010.tif 000001
【図２】
2014525010.tif 000002
【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
オブジェクトの将来の動作状態を判定するための監視システムであって、
前記オブジェクトの正常動作状態を示す参照データを受け取り、
それぞれが時間ポイントを表し、前記オブジェクトの現在の状態を示す複数のパラメータを表す入力値を有する、複数の入力ベクトルをそれぞれ有する入力パターン配列を受け取り、
入力パターン配列および前記参照データを使用して、前記入力値と参照データとの類似性測度を決定する計算に基づいて推定値を生成し、前記推定値が、推論された推定値の少なくとも１つの推定ベクトルを含む推定行列の形式であって、各推定行列が前記入力ベクトルによって表されない少なくとも１つの時間ポイントを表す
ように構成された、経験値モデルモジュールと、
前記推論された推定値を使用して、前記オブジェクトの将来の状態を判定するように構成された、予想モジュールと
を備える、システム。
【請求項２】
前記推定行列が、単に、前記入力ベクトルによって表されない時間ポイントを表す推定ベクトルを含む、請求項１記載のシステム。
【請求項３】
前記推定行列が、前記入力ベクトルによって表される同じ時間ポイントを表す少なくとも１つの推定ベクトルと、前記入力ベクトルによって表されない時間ポイントを表す少なくとも１つの推定ベクトルとを含む、請求項１または２に記載のシステム。
【請求項４】
前記推定行列が、前記オブジェクトの前記状態を示すパラメータを表し、前記入力値で表されない推定値を含む、請求項１乃至３のいずれかに記載のシステム。
【請求項５】
各推定行列が、プライマリの現在の時間ポイント、および入力ベクトルによって表されない、前記現在の時間ポイントに対して後続の時間ポイントである時間ポイントを表す、請求項１乃至４のいずれかに記載のシステム。
【請求項６】
前記経験的モジュールが、前記類似性測度を使用することによって重み値を生成するように構成され、前記参照データを用いた計算に前記重み値を使用して、前記推定行列を生成する、請求項１乃至５のいずれかに記載のシステム。
【請求項７】
前記重み値が、重みベクトルの形式である、請求項６記載のシステム。
【請求項８】
重み値と共に前記計算に使用される前記参照データが、前記入力パターン配列によって表されない時間ポイントを表す参照値を含み、
重み値と共に前記計算に使用される前記参照データが、プライマリの現在の時間ポイントを表し、前記入力ベクトルによって表されない前記時間ポイントが、前記現在の時間ポイントに対して後続の時間ポイントである、請求項６記載のシステム。
【請求項９】
前記重み値と共に前記計算に使用される前記参照データが、学習逐次パターン行列の３次元の集まりの形式であり、各学習逐次パターン行列が、参照値の参照ベクトルを含み、各参照ベクトルが、前記学習逐次パターン行列内の異なる時間ポイントを表し、
各学習逐次パターン行列が、プライマリの現在の時間ポイントと、前記プライマリの現在の時間ポイントに対して後続の時間ポイントを表し、前記入力パターン配列によって表されない時間ポイントとを含む、請求項６記載のシステム。
【請求項１０】
前記同じ時間ポイントが、複数の推定行列において表される、請求項１乃至９のいずれかに記載のシステム。
【請求項１１】
前記予想モジュールが、最も新しい推定行列を使用して、前記オブジェクトの前記状態を判定するために使用する前記推定値を更新するように構成された、請求項１乃至１０のいずれかに記載のシステム。
【請求項１２】
前記予想モジュールが、複数の推定行列にわたって単一の時間ポイントを表す単一の推定ベクトルの値を提供するように構成され、
前記単一の推定ベクトルが、前記単一の時間ポイントにおける前記推定ベクトルのすべての平均、重み付け平均、または重み付けノルムである、請求項１乃至１１のいずれかに記載のシステム。
【請求項１３】
前記予想モジュールが、各推定行列を表す単一の推定ベクトルの値を提供するように構成され、
前記単一の推定ベクトルが、前記推定行列内の前記推定ベクトルの平均、重み付け平均、または重み付けノルムである、請求項１乃至１２のいずれかに記載のシステム。
【請求項１４】
前記予想モジュールが、前記推論された推定値によって表される少なくとも１つのパラメータのトレンドラインを形成して、前記オブジェクトの前記期待される挙動を示すように構成され、
前記予想モジュールが、各新しい推定行列と共に新しいトレンドラインを形成するように構成された、請求項１２記載のシステム。
【請求項１５】
前記予想モジュールが、境界トレンドラインを形成して、前記オブジェクトの期待される挙動の範囲を定めるように構成され、
前記予想モジュールが、前記時間ポイントからの最大推定値を用いて上方境界のトレンドラインを形成し、前記時間ポイントからの最小推定値を用いて下方境界のトレンドラインを形成するように構成された、請求項１乃至１４のいずれかに記載のシステム。
【手続補正書】
【提出日】平成27年7月11日(2015.7.11)
【手続補正１】
【補正対象書類名】明細書
【補正対象項目名】０００５
【補正方法】変更
【補正の内容】
【０００５】
しかしながら、生体特徴の取得における主要な警告として、皮膚および／または虹彩の色素は、登録段階ならびにその後の照会段階の両段階において、確固たるデータを収集する能力に悪影響をもたらすことがある。色素は、特徴のある数学的ベクトルの値を定義する一意の構造要素を覆うまたは隠すことができる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１０／０２９０６６８号明細書
（特許文献２）  国際公開第２０１１／０３５１８８号
（特許文献３）  米国特許出願公開第２００７／０１４５５０５号明細書
（特許文献４）  米国特許出願公開第２０１０／０１２８９３７号明細書
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
被験者の脳から取得した神経生理学的データから脳震盪の可能性を推定する方法であって、
前記データにおける活動関連の特徴を識別するステップと、
複数のノードを有する被験者特有の脳ネットワーク活動（ＢＮＡ）パターンを構築するステップであって、各ノードが前記活動関連の特徴のうちの１つの特徴を表し、かつ各対のノードに連結度重みが割り当てられて成るステップと、
前記構築されたＢＮＡパターンと被験者に特有のベースラインＢＮＡパターンとの間の比較を表すＢＮＡパターン類似度を算出するステップと、
前記ＢＮＡパターン類似度に応答して脳震盪の可能性を評価するステップと
を行なうためのデータ処理装置を使用することを含む方法。
【請求項２】
前記ベースラインＢＮＡパターンは、正常な脳機能を有すると識別された１群の被験者を特徴付ける群ＢＮＡパターン、および脳震盪を有すると識別された１群の被験者を特徴付ける群ＢＮＡパターンから成る群から選択される群ＢＮＡパターンに基づく、請求項１に記載の方法。
【請求項３】
前記被験者特有のＢＮＡの構築および前記ＢＮＡパターン類似度の算出を少なくとも１回繰り返すステップをさらに含み、各々の被験者特有のＢＮＡは、被験者の同一神経生理学的データを使用するが異なる参照データまたはモデルに基づいて構築され、各々の被験者特有のＢＮＡは、異なる脳状態に関連付けられるベースラインＢＮＡパターンと比較され、前記評価は少なくとも２つのＢＮＡパターン類似度に応答して行われる、請求項１に記載の方法。
【請求項４】
少なくとも１つのベースラインＢＮＡパターンは、正常な脳機能を有すると識別された１群の被験者を特徴付け、少なくとも１つのベースラインＢＮＡパターンは、脳震盪を有すると識別された１群の被験者を特徴付ける、請求項３に記載の方法。
【請求項５】
少なくとも前記ＢＮＡパターン類似度に基づいて震盪指数を決定するステップをさらに含む、請求項１〜４のいずれかに記載の方法。
【請求項６】
異なる期間に対応する幾つかのＢＮＡパターンを構築するステップと、前記ＢＮＡパターンを時間軸上に表示するステップとをさらに含む、請求項１〜５のいずれかに記載の方法。
【請求項７】
少なくとも前記ＢＮＡパターン類似度に応答して脳状態に関する予後情報を抽出するステップをさらに含む、請求項１〜６のいずれかに記載の方法。
【請求項８】
前記活動関連の特徴を識別するステップは、被験者の神経生理学的データにおける特徴および前記特徴間の関係を識別するステップと、前記特徴および前記特徴間の関係を参照神経生理学的データの特徴および特徴間の関係と比較するステップとをさらに含み、好ましくは、前記参照神経生理学的データは、１群または部分群の被験者から取得したデータ、同一被験者から以前に取得した履歴データ、および神経生理学的モデルから合成したデータから成る群から選択されたデータに対応する、請求項１〜７のいずれかに記載の方法。
【請求項９】
前記ノードはデータ特性のベクトルのクラスタを表し、前記連結度重みは、（ｉ）対応するクラスタ対におけるベクトルの個数、（ｉｉ）前記対応するクラスタ対におけるベクトルの個数間の変動性、（ｉｉｉ）前記対応するクラスタ対の各クラスタに関連付けられる時間窓の幅、（ｉｖ）前記対応するクラスタ対を分離する潜時差、（ｖ）前記対応するクラスタ対に関連付けられる信号の振幅、（ｖｉ）前記対応するクラスタ対に関連付けられる信号の周波数、および（ｖｉｉ）前記クラスタを規定する空間窓の幅、から成る群から選択された少なくとも１つのクラスタ特性に基づいて算出された重み指数を含む、請求項１〜８のいずれかに記載の方法。
【請求項１０】
前記神経生理学的データは、治療前、治療中、および／または治療後に取得したデータを含む、請求項１〜９のいずれかに記載の方法。
【請求項１１】
被験者の脳から取得した神経生理学的データから脳震盪の可能性を推定する方法であって、
前記データにおける活動関連の特徴を識別するステップと、
複数のノードを有する第１の被験者特有の脳ネットワーク活動（ＢＮＡ）パターンを構築するステップであって、各ノードが前記活動関連の特徴のうちの１つの特徴を表し、各対のノードに連結度重みが割り当てられ、前記被験者特有のＢＮＡパターンが脳震盪に関連付けられて成るステップと、
前記第１のＢＮＡパターンと脳震盪に対応すると注釈された第１のベースラインＢＮＡパターンとの間の比較を表す第１のＢＮＡパターン類似度を算出するステップと、
前記類似度を、被験者の以前に構築された被験者特有のＢＮＡパターンと前記第１のベースラインＢＮＡパターンとの間の比較を表す第１の記録された類似度と比較するステップと、
前記記録された類似度と前記算出された類似度との間の差異に応答して脳震盪の可能性を評価するステップと
を行なうためのデータ処理装置を使用することを含む方法。
【請求項１２】
正常な脳機能に関連付けられた第２の被験者特有のＢＮＡパターンを構築するステップと、
前記第２のＢＮＡパターンと正常な脳機能に対応すると注釈された第２のベースラインＢＮＡパターンとの間の比較を表す第２のＢＮＡパターン類似度を算出するステップと、
前記第２の類似度を、被験者の以前に構築された被験者特有のＢＮＡパターンと前記第２のベースラインＢＮＡパターンとの間の比較を表す第２の記録された類似度と比較するステップとをさらに含み、
前記評価が、前記第２の記録された類似度と前記第２の算出された類似度との間の差異にも応答して行われる、請求項１１に記載の方法。
【請求項１３】
低レベルの認知課題および高レベルの認知課題から成る群から選択された課題を被験者が実行するかあるいは実行を概念化する前、途中、および／または後に、被験者の脳から前記神経生理学的データを取得するステップをさらに含む、請求項１〜１２のいずれかに記載の方法。
【請求項１４】
神経生理学的データを受信し、および請求項１〜１２のいずれかに記載の方法を実行するように構成されたデータ処理装置を備える、脳震盪の可能性を推定するためのシステム。
【請求項１５】
データ処理装置によって読み出されたときに、データ処理装置に神経生理学的データを受信させ、および請求項１〜１２のいずれかに記載の方法を実行させる、プログラム命令を格納したコンピュータ可読媒体を備える、コンピュータソフトウェア製品。